(57)【要約】【目的】  物品をマグネットの磁着力によって保持具本体に保持するマグネット保持具において、保持具の衣服等への装着性や物品の着脱操作性を低下させることなく物品と保持具との自己整合を可能とし、さらには、物品の保持位置での保持性に優れたマグネット保持具を提供することを目的とする。【構成】  マグネット保持具を、任意の物品に装着できる物品側マグネット３と、例えば衣類と装着できる任意の装着手段を備え且つ物品側マグネット３と磁着できる保持側マグネット６を備えた保持ベース５とから構成すると共に、物品側マグネット３および保持側マグネット６の磁着側の面を平坦にする。【選択図】  図１
2006234896.tif 000002
【特許請求の範囲】
【請求項１】
任意の物品に装着できる物品側マグネットと、所定部材に装着するための装着手段を備え且つ物品側マグネットと磁着できる保持側マグネットを備えた保持ベースとからなるマグネット保持具であって、物品側および保持側の双方のマグネットは、少なくとも磁着側の面が平坦であることを特徴とするマグネット保持具
【請求項２】
前記保持ベースに、保持された物品の下方に位置できる突出部材が設けられていることを特徴とする請求項１のマグネット保持具
【請求項３】
前記保持ベースに、保持された物品の両側に位置できる突出部材が設けられていることを特徴とする請求項１のマグネット保持具
【請求項４】
前記物品側マグネットが物品に装着された際、マグネットの磁着面が被装着物
品の装着面より突出していることを特徴とする請求項１のマグネット保持具
【請求項５】
前記保持側マグネットの磁着面が、マグネットが設けられる保持ベース面より突出していることを特徴とする請求項１のマグネット保持具
【請求項６】
前記物品側マグネットがその磁着面と略水平方向からの力を受けた際、マグネットがその中立の位置から任意の方向に傾斜できるようになっていることを特徴とする請求項１のマグネット保持具
【請求項７】
前記保持側マグネットがその磁着面と略水平方向からの力を受けた際、マグネットがその中立の位置から任意の方向に傾斜できるようになっていることを特徴とする請求項１のマグネット保持具
【請求項８】
前記物品側マグネットが任意の物品に装着できる装着部材に配設されており、また、その装着部材が中立の位置から任意の方向に傾斜できるようになっていることを特徴とする請求項１のマグネット保持具
【請求項９】
前記保持側マグネットが保持ベースに設けられたマグネットベース部材に配設されており、また、そのマグネットベース部材が中立の位置から任意の方向に傾斜できるようになっていることを特徴とする請求項１のマグネット保持具
【請求項１０】
前記マグネットベース部材が有底の筒状形状になっていることを特徴とする請求項９のマグネット保持具
【請求項１１】
前記筒状形状のマグネットベース部材の任意の部位が切り欠かかれていることを特徴とする請求項１０のマグネット保持具
【請求項１２】
前記マグネットベース部材が保持ベースを兼用していることを特徴とする請求項９のマグネット保持具
【請求項１３】
前記物品側マグネットおよび保持側マグネットが複数配設されており、その物品側マグネットおよび保持側マグネットの配設形態は、一方が略凸球面形態をなすようにまた他方が略凹球面形態をなすように配設されていることを特徴とする請求項１のマグネット保持具
【請求項１４】
前記保持ベースがベルト体であって、そのベルト体の外方側に保持側マグネットが設けられていることを特徴とする請求項１のマグネット保持具
【請求項１５】
前記物品側マグネットおよび保持側マグネットが希土類のマグネットであることを特徴とする請求項１のマグネット保持具
【請求項１６】
前記装着手段が衣類と装着できるようになっているものであることを特徴とする請求項１のマグネット保持具
【請求項１７】
巻尺に適応できるようになっていることを特徴とする請求項１のマグネット保持具
【請求項１８】
任意の物品に装着できる物品側マグネットと、任意の保持手段に装着できる保持側マグネットとからなり、且つ物品側および保持側の双方のマグネットが、少なくとも磁着側の面が平坦であることを特徴とすることを特徴とするマグネット保持アタッチメント
【請求項１９】
前記物品側マグネットおよび／または持側マグネットが薄形のマグネットであることを特徴とする請求項１のマグネット保持具または請求項１８のマグネット保持アタッチメント
【発明の詳細な説明】
【技術分野】
【０００１】
本発明は、磁力によって物品を保持するためのマグネット保持具に関するものである。
【背景技術】
【０００２】
従来、マグネット保持具は、物品をマグネットに有する磁力を利用して保持具の保持部分に磁着させて保持している。
その具体的な形態は、マグネットを物品に装着し、また、保持具の保持部分にはマグネットが磁着できる金属を設けて、物品に装着したマグネットを保持具の金属からなる保持部分に磁着させることによって物品を保持したり、あるいは、保持具の保持部分にマグネットを設けて、物品のマグネットに磁着可能な金属部分、または、物品に磁着可能な金属を装着して、それらの金属部分を保持具のマグネットに磁着させることによって物品を保持するものである。
【発明の開示】
【発明が解決しようとする課題】
【０００３】
しかしながら、この種のマグネット保持具は、保持しようとする物品に装着しているマグネットあるいは金属を、保持具の保持部分に的確に合わせなければ確実な保持が保障されないものであった。すなわち、金属はマグネットの磁力によって磁着可能となった位置で磁着するが、その位置は金属とマグネットが出合った位置とほぼ同じであり、そしてこの位置ではまだ磁力が弱いので確実な保持ができないからである。
このため、確実な保持が保障される位置への案内が、人の手によって行われたり、あるいは、保持具に形成された構造によって行われている。
【０００４】
保持位置への案内が人によって行われるものは、物品の保持具への装着の際、そのつど人が目を向けて操作しなければならず使い勝手が悪いものであった。また、保持位置への案内が保持具に形成された構造によって行われる自己整合構造を有するものは、本体の厚みが増したりまた本体が大きくなってしまったり、さらには、物品に装着する部材の厚さや大きさまでもが増して、保持具の衣服への装着性や物品着脱の操作性が著しく低下した。
【０００５】
また、操作性を低下させる原因には、保持具で保持されている物品が何らかのものに接触した際に、保持位置がズレて磁力の弱い位置に移動して磁着が外れないようにと、頑丈且つ大きな保護部材が設けられていることもその一つである。
従って、本発明は上述した問題点に鑑みてなされたもので、保持具の衣服等への装着性や物品の着脱操作性を低下させることなく物品と保持具との自己整合を可能とし、さらには、物品の保持位置での保持性に優れたマグネット保持具を提供することを目的とするものである。
【課題を解決するための手段】
【０００６】
本発明の要旨とするところは、任意の物品に装着できる物品側マグネットと、所定部材に装着するための装着手段を備え且つ物品側マグネットと磁着できる保持側マグネットを備えた保持ベースとからなるマグネット保持具であって、物品側および保持側の双方のマグネットは、少なくとも磁着側の面が平坦であることを特徴とするマグネットである。
【０００７】
本発明のマグネット保持具を詳しく説明すると、物品側マグネットとは、保持しようとする物品に装着されるマグネットで、任意の方法によって直接にまたは任意の部材を介して間接的に物品に装着されるものである。装着の方法も何でもよく、確実に物品に装着できる方法であれば両面テープやネジ固定また接着さらにはインサートやオンサートを用いてもよい。勿論、他の適する方法でもよい。
そして、マグネットが装着される物品は、例えば、携帯可能な工具や巻尺等の測定器具あるいは携帯可能なアウトドアやフッシング用品等が上げられる。
【０００８】
また、物品側マグネットは、物品に装着された際にマグネットの磁着面が被装着物品の装着面より突出するように装着してもよい。
さらに、物品側マグネットは、その磁着面と略水平方向からの力を受けた際にマグネットがその中立の位置から任意の方向に傾斜できるようにしてもよい。そして、マグネットは中立の位置に自動復帰させるようにしてもよい。
他の形態としては、物品側マグネットを任意の物品に装着できるようになっている装着部材（マグネットベース）に配設して、その装着部材を中立の位置から任意の方向に傾斜できるようにしてもよい。勿論、マグネットを設置した装着部材は中立の位置に自動復帰させるようにしてもよい。
【０００９】
所定部材とは、人が着る衣類（ベルトを含む。）や収納庫内外また壁等の部材など物品を保持すべき部材一般をいい、保持ベースは、かかる所定部材に保持側マグネットを固着するための部材であると共に、保持ベース部材を所定部材に装着できるようになっており、そのための任意の装着手段を備えている。装着手段は、保持ベースを装着する部材によって適した形態のものを選定すればよい。その形態は、例えば、所定部材が、金属部材や木材等の場合は、マグネットやネジ固定また接着等の方法を用いてもよく、また、所定部材が衣類すなわち衣服やズボンまたスカートやベルト等である場合は、ピンやフックまたベルト通し等の方法を用いてもよい。勿論、これらの装着手段に限定されることない。
保持ベースに備えられる保持側マグネットも、保持ベースに確実に固定できる方法であれば何でもよく、両面テープやネジ固定また接着さらにはインサートやオンサートによって固定してもよい。勿論、他の方法で取り付けてもよい。
また、保持側マグネットは保持ベース面に取り付けられた際に、マグネットの磁着面が保持ベースの装着面より突出するように取り付けてもよい。
【００１０】
また、保持ベースには、保持された物品の下方に位置できるように突出部材を形成してもよく、その突出部材は、少なくとも保持された物品が下方に動かされた際、物品と当たるように設けるのがよい。さらには、保持ベースには、保持された物品の両側に位置できるように突出部材を形成してもよく、その突出部材は、少なくとも保持された物品が側方に動かされた際、物品と当たるように設けるのがよい。突出部材の素材や形状また数量は特に限定するものではない。
【００１１】
さらに、保持側マグネットは、その磁着面と略水平方向からの力を受けた際にマグネットがその中立の位置から任意の方向に傾斜できるようにしてもよい。そして、マグネットは中立の位置に自動復帰させるようにしてもよい。
他の形態としては、保持側マグネットを保持ベースに設けたマグネットベース部材に配設して、そのマグネットベース部材を中立の位置から任意の方向に傾斜できるようにしてもよい。勿論、マグネットを設置したマグネットベース部材は中立の位置に自動復帰させるようにしてもよい。そのマグネットベース部材の素材や形状は特に限定するものではない。適する形状としては、有底の筒状形状がよい。また、筒状の所望の部位、例えば、周壁を開口から底部方向に切り欠いてもよい。そして、マグネットベース部材を保持ベースと兼用してもよい。
保持側マグネットと物品側マグネットの磁着側の面は、磁着の際に面接触できるように平坦とするのがよい。
【００１２】
物品側マグネットおよび保持側マグネットは複数設けてもよく、その場合、物品側と保持側の全てのマグネットの磁着面を面一にしてもよい。
あるいは、物品側マグネットおよび保持側マグネットの配設形態を、一方が略凸球面形態をなすようにまた他方が略凹球面形態をなすように配設してもよい。例えば、物品側の複数のマグネットを任意に配設することにより、その複数のマグネットが形成する磁着面が略凸球面形態をなすようにする。この場合、保持側の複数のマグネットは、物品側の複数のマグマットが形成する略凸球面形態の形状と対（同一の曲率）になる略凹球面形態をなすように配設とする。勿論、略凸球面形態と略凹球面形態を、物品側マグネットと保持側マグネットで反対に形成してもよい。
【００１３】
保持側マグネットを設ける保持ベースは、衣服やズボンに装着可能なベルト体の形態にしてもよく、そのベルト体の外方側に１つまたは複数の保持側マグネットを適宜に設けてもよい。
そして、物品側マグネットおよび／または保持側マグネットも特に限定するものではなく所望のものを用いればよいが、望ましくは希土類のマグネットを用いるのがよい。マグネットは薄形にするのがよい。また、物品側マグネットと保持側マグネットの磁着面の形状（径）また広さは同一がよい。
また、本発明のマグネット保持具は、特に巻尺の保持具として応用することが望ましい。また、物品側マグネットおよび保持側マグネットを、直接にまたは間接に任意のものに装着できるようにすることによってマグネット保持アタッチメントとして用いることができる。
マグネットの磁着力は保持する物品によって選定すればよい。
【００１４】
従って、本発明のマグネット保持具は以上のように、物品に設けられる物品側マグネットと保持ベースに設けられる保持側マグネットからなっているので、マグネット保持具の使用において、保持具に物品を保持させる際は物品側マグネットの磁気と保持側マグネットの磁気がそれぞれ引き合い、且つそれらの引き合いは双方の磁力が最も強い位置に引き合うため、物品側マグネットと保持側マグネットは双方の磁力によって所定の磁着位置に自動的に磁着するように動く。すなわち、磁気の引き合による自己整合作用が生じる。
そして、保持ベースに保持された物品が少々の接触によってマグネットの磁着面と略水平方向に動こうとすると、この磁気の引き合いによる自己整合作用により、双方の磁力によって強力な磁着位置に自動的に戻る。また、双方のマグネットの磁着面が平坦であるので、前述の磁着位置への復帰はスムースに行われる。
【発明の効果】
【００１５】
本発明の本発明のマグネット保持具は以上のように、物品に装着されるマグネットと保持具に備えているマグネットの相互吸引作用によって保持する物品と保持具の保持部との位置調整が行われるので、保持具の保持部等に自己整合作用をさせる部材等を特に設ける必要がなく、従って、保持具を薄くそして小型にすることができるので、保持具の衣服への装着性や物品着脱の操作性を低下させることなく自己整合作用を持たせることができる。
また、物品側のマグネットと保持具側のマグネットにより、保持具の保持位置での物品の保持性に優れる。そして、保持ベースに保持された物品が少々の接触によってマグネットの磁着面と略水平方向に動こうとしたりまた少々ズレた際も、この磁気の引き合いによる自己整合作用により、双方の磁力によって所定の磁着位置に自動的に戻る。
さらには、任意の物品に装着できる物品側マグネットと、任意の保持手段に装着できる保持側マグネットとからなるマグネット保持アタッチメントを用いることにより、壁や収納庫内外に工具や測定具等のものを整理保管する際にも用いることができる。
【発明を実施するための最良の形態】
【００１６】
本発明のマグネット保持具を以下図面に従って説明すると、図１は、本発明に係るマグネット保持具を示す斜視図であり、１は任意の物品に装着する物品側マグネット部材で、２は物品側マグネット３を保護するための保護部材、３は物品側マグネットである。また、物品側マグネット部材１は、図に示していないが任意の方法また部材によって物品に装着できるようになっている。
４は保持具、５は保持ベース、６は保持ベース５に設けられた保持側マグネット、７は保持具４をベルトに装着させるためのベルト通孔である。
【００１７】
図２は、巻尺に用いた際の一例を示す図であり、物品側マグネット部材１は巻尺１０の側面に装着される。そして、物品側マグネット部材１の物品側マグネット３が、ズボンのベルト等に装着された保持具４の保持ベース５の保持側マグネット６に磁着することによって巻尺１０が保持具４に保持される。
【００１８】
図３は、磁着の動きを示す図であり、物品側マグネット部材１を保持具４に近づけて行って物品側マグネット３と保持側マグネット６の磁力作用範囲に入ると、物品側マグネット３の磁力Ａと保持側マグネット６の磁力Ｂが引き合い始め、その後、物品側マグネット３と保持側マグネットの磁力の引き合いによって物品側マグネット３は保持側マグネット６の定位置に誘導されて磁着する。すなわち、物品側マグネット部材１は双方のマグネット（物品側マグネット３／保持側マグネット６）の引き合いによって、一番強く磁着する位置に自動的に誘導されて磁着する。
【００１９】
図４および図５は、他の形態の保持ベースを示す斜視図であり、図４の保持ベース５は、保持具４に保持した物品が水平方向に移動しないように突出羽根８を設けたものである。また、図５の保持ベース５は、保持具４に保持した物品が下方に移動しないように突出羽根９を設けたものである。勿論、保持ベース５に突出羽根８および突出羽根９を設けてもよい。
【００２０】
図６は、他の形態の物品側マグネットを示す図であり、本図は、物品側マグネット３の一部を保護部材２の開口から突出させて設けているものである。（ａ）図は、物品側マグネット部材１の斜視図、（ｂ）図は、その物品側マグネット部材１を巻尺１０に装着した図である。
【００２１】
図７は、他の形態の保持ベースに備える保持側マグネットを示す図であり、本図は、保持ベース５の保持側マグネット６の一部を保持ベース５面から突出させて設けているものである。（ａ）図は、保持具４の斜視図、（ｂ）図は、保持具４の側面図である。
【００２２】
図８は、図６の物品側マグネットを巻尺に用いた際の巻尺保持例を示す図である。物品側マグネット３に磁着する保持具４の保持側マグネット６は、保持ベース５面から突出していないものである。この組み合わせで、物品側マグネット３と保持側マグネット６が磁着した際、保持具４の保持ベース５面と保護部材２との間に物品側マグネット３の突出分の隙間が開く。
また、図には示していないが、図７で示す保持側マグネット６を保持ベース５面から突出させた保持具４と、図６の物品側マグネット３を備える物品側マグネット部材１との組み合わせの場合も、保持具４の保持ベース５面と物品側マグネット部材１の保護部材２との間に保持側マグネット６の突出分と物品側マグネット３の突出分とを加えた隙間が開く。
【００２３】
図９は、図８の巻尺保持の時の動きの一例を示す図である。すなわち、上述の隙間が生ずることによって、物品の一方を持ち上げようとする力が加わった場合でも保護部材２の部分が逃げることができ、物品側マグネット３と保持側マグネット６の一部接触が保たれる。
そして、尚且つ巻尺１０は双方のマグネットの引き合いによって、一番強く磁着する位置に再度自動的に誘導されて磁着することができる。
【００２４】
図１０は、他の形態の物品側マグネットを示す図であり、本図は、物品側マグネット３を首振り自在にしたものである。１は物品側マグネット部材、２１は物品に装着される基台、２２は基台２１とマグネットベース２３が自由に首振りできるようにするための嵌合部、２３は物品側マグネット３を備えたマグネットベースである。（ａ）図は、基台２１と物品側マグネット３を備えたマグネットベース２３が平行の時を示し、（ｂ）図は、物品側マグネット３を備えたマグネットベース２３が傾動した時の状態を示すものである。
【００２５】
図１１は、他の形態の保持ベースに備える保持側マグネットを示す図であり、本図は、保持側マグネット６を首振り自在にしたものである。４は保持具、５は保持ベース、５１は保持ベース５とマグネットベース５２が自由に首振りできるようにするための嵌合部、５２は保持側マグネット６を備えたマグネットベースである。（ａ）図は、保持ベース５と保持側マグネッ６３を備えたマグネットベース５２が平行の時を示し、（ｂ）図は、保持側マグネット６を備えたマグネットベース５２が傾動した時の状態を示すものである。
【００２６】
図１２および図１３は、図１０の物品側マグネットを巻尺に用いた際の巻尺保持例を示す図であり、図１２は、巻尺を前側（正面）から見た時の図で、図１３は巻尺を上方（平面）から 見た図である。
すなわち、物品側マグネット部材１の基台２１に対して物品側マグネット３を備えたマグネットベース２３がどの方向にも自由に首振りができるので、巻尺１０にその一方を持ち上げようとする力が加わった場合でも巻尺１０が傾動することができるのでその力を逃がすことができる。また、図では示していないが、物品側マグネット３と保持側マグネット６の一部が離れた場合でも、双方のマグネットは双方の引き合いにより、一番強く磁着する位置に再度自動的に誘導されて磁着する。
【００２７】
図１４および図１５は、図１１の保持側マグネットを用いた際の巻尺保持例を示す図であり、図１４は、巻尺を前側（正面）から見た時の図で、図１５は、巻尺を上方（平面）から 見た図である。
すなわち、保持具４の保持ベース５に対して保持側マグネット６を備えたマグネットベース５２がどの方向にも自由に首振りができるので、巻尺１０にその一方を持ち上げようとする力が加わった場合でも巻尺１０が傾動することができるのでその力を逃がすことができる。また、図では示していないが、物品側マグネット３と保持側マグネット６の一部が離れた場合でも、双方のマグネットは双方の引き合いにより、一番強く磁着する位置に再度自動的に誘導されて磁着する。
【００２８】
図１６は、他の形態のマグネット保持具を示す図であり、１は任意の物品に装着する物品側マグネット部材で、２ａは複数の物品側マグネット３を配設する配設部材、２ａ１は物品側マグネット３が配設される凹部、３ａは物品側マグネットである。また、物品側マグネット部材１は、図に示していないが任意の方法また部材によって物品に装着できるようになっている。
４は保持具、５は保持ベース、５ａは複数の保持側マグネット６ａが配設される凸状の配設部材、６ａは保持側マグネット、７は保持具４をベルトに装着させるためのベルト通孔である。また、凹部２ａ１と配設部材５ａの表面形状はほぼ同一の曲率ある。
【００２９】
図１７は、図１６のマグネット保持具を巻尺に用いた際の一例を示す図であり、物品側マグネット部材１は巻尺１０の側面に装着される。そして、物品側マグネット部材１の配設部材２ａに設けられた複数の物品側マグネット３ａが、ズボンのベルト等に装着された保持具４の配設部材５ａに設けられた複数の保持側マグネット６ａに磁着することによって巻尺１０が保持具４に保持される。
【００３０】
図１８は、図１７のマグネット保持具の巻尺保持例を示す図であり、本図は、巻尺１０にその一方を持ち上げようとする力が加わった時の巻尺１０の状態を 示した図である。すなわち、巻尺１０にその一方を持ち上げようとする力が加わった時は、物品側マグネット部材１の配設部材２ａに設けられた複数の物品側マグネット３ａが保持具４の配設部材５ａに設けられた複数の保持側マグネット６ａと磁着した状態で、物品側マグネット部材１の配設部材２ａが保持具４の配設部材５ａ上を動く。すなわち、巻尺１０が傾動することができるので巻尺１０に作用した力を逃がすことができる。巻尺１０が保持具４に対して首を振ることができる。
【００３１】
図１９は、他の形態の保持ベースを示す斜視図であり、本図は、保持具４の本体とてベルト体を用いたもので、ベルト体１１のベルト部１１１に物品側マグネット部材１の物品側マグネット３と磁着する保持側マグネット６を複数配設したものである。１１２はバックル部である。
【図面の簡単な説明】
【００３２】
【図１】本発明に係るマグネット保持具を示す斜視図
【図２】巻尺に用いた際の一例を示す図
【図３】磁着の動きを示す図
【図４】他の形態の保持ベースを示す斜視図
【図５】他の形態の保持ベースを示す斜視図
【図６】他の形態の物品側マグネットを示す図
【図７】他の形態の保持ベースに備える保持側マグネットを示す図
【図８】図６の物品側マグネットを巻尺に用いた際の巻尺保持例を示す図
【図９】図８の巻尺保持の時の動きの一例を示す図
【図１０】他の形態の物品側マグネットを示す図
【図１１】他の形態の保持ベースに備える保持側マグネットを示す図
【図１２】図１０の物品側マグネットを巻尺に用いた際の巻尺保持例を示す図
【図１３】図１０の物品側マグネットを巻尺に用いた際の巻尺保持例を示す図
【図１４】図１１の保持側マグネットを用いた際の巻尺保持例を示す図
【図１５】図１１の保持側マグネットを用いた際の巻尺保持例を示す図
【図１６】他の形態のマグネット保持具を示す図
【図１７】図１６のマグネット保持具を巻尺に用いた際の一例を示す図
【図１８】図１７のマグネット保持具の巻尺保持例を示す図
【図１９】他の形態の保持ベースを示す斜視図
【符号の説明】
【００３３】
１−物品側マグネット部材，２−保護部材，２１−基台，２２−嵌合部，２３−マグネットベース，２ａ−配設部材，２ａ１-凹部，３−物品側マグネット，３ａ−物品側マグネット，４−保持具，５−保持ベース，５１−嵌合部，５２−マグネットベース，５ａ−配設部材，６−保持側マグネット，６ａ−保持側マグネット，７−ベルト通孔，８−突出羽根，９−突出羽根，１０−巻尺，１１−ベルト体，１１１−ベルト部，１１２−バックル部，Ａ−磁力，Ｂ−磁力
【図１】
2006234896.tif 000003
【図２】
2006234896.tif 000004
【図３】
2006234896.tif 000005
【図４】
2006234896.tif 000006
【図５】
2006234896.tif 000007
【図６】
2006234896.tif 000008
【図７】
2006234896.tif 000009
【図８】
2006234896.tif 000010
【図９】
2006234896.tif 000011
【図１０】
2006234896.tif 000012
【図１１】
2006234896.tif 000013
【図１２】
2006234896.tif 000014
【図１３】
2006234896.tif 000015
【図１４】
2006234896.tif 000016
【図１５】
2006234896.tif 000017
【図１６】
2006234896.tif 000018
【図１７】
2006234896.tif 000019
【図１８】
2006234896.tif 000020
【図１９】
2006234896.tif 000021